(57)【特許請求の範囲】
【請求項１】
Ｎ色（Ｎは３以上の整数）の表示が可能な表示部を有する無線表示端末と、
前記無線表示端末に、前記表示部に画像を表示させるためのデータを無線送信するサーバと、
を備え、
前記サーバは、表示色がＫ色（Ｋは３以上、前記Ｎ以下の整数）の第１画像を、前記表示部に表示させるためのデータとして、前記第１画像の表示色に含まれる（Ｋ−１）個の色のそれぞれについて、前記第１画像における色の表示位置を示した、（Ｋ−１）個の表示データを送信する際に、前記（Ｋ−１）個の表示データのデータ量が最小となる（Ｋ−１）個の色の組合せを決定し、決定した前記組合せに含まれる（Ｋ−１）個の色について、前記（Ｋ−１）個の表示データを前記無線表示端末に送信し、
前記無線表示端末は、前記（Ｋ−１）個の表示データに基づいて、前記表示部に前記第１画像の表示を行わせる、
無線表示システム。
【請求項２】
前記（Ｋ−１）個の表示データの少なくとも一部は、データ圧縮されている、
請求項１に記載の無線表示システム。
【請求項３】
前記データ圧縮は、ランレングス方式を用いて行われる、
請求項２に記載の無線表示システム。
【請求項４】
前記表示部は電子ペーパーである、
請求項１から３のいずれか１項に記載の無線表示システム。
【請求項５】
前記表示部は、３色又は４色の表示が可能である、
請求項４に記載の無線表示システム。
【請求項６】
前記表示データは、データ圧縮をすることでデータ圧縮前に比べてデータ量が減少する場合のみデータ圧縮されている、
請求項２又は３に記載の無線表示システム。
【請求項７】
前記無線表示端末は、電子棚札である、
請求項１から６のいずれか１項に記載の無線表示システム。
【発明の詳細な説明】
【技術分野】
【０００１】
本発明は、無線表示システム、より具体的には、３色以上を表示可能な無線表示端末と、無線表示端末に画像を表示させるためのデータを無線送信するサーバと、を備えた無線表示システムに関する。
【背景技術】
【０００２】
無線表示端末と、無線表示端末に画像を表示させるためのデータを無線送信するサーバと、を備えた無線表示システムが知られている。例えば、特許文献１（特開２００５−３３５００４号公報）には、工場等で用いられる無線表示システムであって、作業対象物に取り付けられた無線表示端末が、サーバから送信されてくる情報を表示する無線表示システムが開示されている。
【０００３】
このような無線表示システムでは、従来、２色表示の無線表示端末が広く使用されている。これに対し、昨今では、視認性向上等を目的として、無線表示システムにおいて、３色以上の表示が可能な無線表示端末の利用が進みつつある。
【発明の概要】
【発明が解決しようとする課題】
【０００４】
ところで、無線表示端末では、３色以上の表示色を含む画像を表示部に表示させるため１のデータを受け付け、受け付けたデータに基づいて表示部に画像を表示する場合、表示色が２色の画像を表示部に表示させるため１のデータを受け付け、受け付けたデータに基づいて表示部に画像を表示する場合に比べ、一連の処理に必要な無線表示端末の消費電力が大きくなる。そのため、３色以上を表示可能な表示部を具備する無線表示端末が用いられる無線表示システムでは、無線表示端末の電力消費が大きくなりやすいという問題がある。
【０００５】
本発明の課題は、３色以上を表示可能な無線表示端末と、無線表示端末に画像を表示させるためのデータを無線送信するサーバと、を備えた無線表示システムであって、無線表示端末の消費電力を抑制可能な無線表示システムを提供することにある。
【課題を解決するための手段】
【０００６】
本発明の第１観点に係る無線表示システムは、無線表示端末と、サーバと、を備える。無線表示端末は、３色の表示が可能な表示部を有する。サーバは、無線表示端末に、表示部に画像を表示させるためのデータを無線送信する。サーバは、第１色および第２色を表示色に含む、表示色が３色の第１画像を、表示部に表示させるためのデータとして、第１画像における第１色の表示位置を示す第１の表示データと、第１画像における第２色の表示位置を示す第２の表示データと、を無線表示端末に送信する。無線表示端末は、第１の表示データおよび第２の表示データに基づいて、表示部に第１画像の表示を行わせる。
【０００７】
本発明の第１観点に係る無線表示システムでは、第１画像（第１色および第２色を表示色に含む、表示色が３色の画像）を、表示部に表示させるためのデータが、第１画像における、第１色の表示位置を示す第１の表示データと、第２色の表示位置を示す第２の表示データとに分けて無線表示端末に送信される。そのため、第１画像について３色以上の表示色に関する情報を単一のデータで無線表示端末に送信する場合に比べ、表示部に画像を表示させるまでの処理に要する、無線表示端末の消費電力を抑制できる。
【０００８】
本発明の第２観点に係る無線表示システムは、無線表示端末と、サーバと、を備える。無線表示端末は、Ｎ色（Ｎは３以上の整数）の表示が可能な表示部を有する。サーバは、無線表示端末に、表示部に画像を表示させるためのデータを無線送信する。サーバは、表示色がＫ色（Ｋは３以上、Ｎ以下の整数）の第１画像を、表示部に表示させるためのデータとして、第１画像の表示色に含まれる（Ｋ−１）個の色のそれぞれについて、第１画像における色の表示位置を示した、（Ｋ−１）個の表示データを、無線表示端末に送信する。無線表示端末は、（Ｋ−１）個の表示データに基づいて、表示部に第１画像の表示を行わせる。
【０００９】
本発明の第２観点に係る無線表示システムでは、表示色がＫ色の第１画像を表示部に表示させるためのデータとして、第１画像の表示色に含まれる（Ｋ−１）個の色のそれぞれの第１画像における表示位置を示す（Ｋ−１）個の表示データが、無線表示端末に送信される。そのため、第１画像についてＫ色の表示色に関する情報を単一のデータとして送信する場合に比べ、表示部に画像を表示させるまでの処理に要する無線表示端末の消費電力を抑制できる。
【００１０】
本発明の第３観点に係る無線表示システムは、第２観点に係る無線表示システムであって、サーバは、無線表示端末に送信される（Ｋ−１）個の表示データのデータ量が最小となる（Ｋ−１）個の色の組合せを決定し、決定した組合せに含まれる（Ｋ−１）個の色について、（Ｋ−１）個の表示データを無線表示端末に送信する。
【００１１】
本発明の第３観点に係る無線表示システムでは、サーバからの表示データの送信データ量が最小となる色の組合せに含まれる（Ｋ−１）個の色について、（Ｋ−１）個の表示データが無線表示端末に送信されるため、データ受信の際の無線表示端末の消費電力を抑制できる。
【００１２】
本発明の第４観点に係る無線表示システムは、第２観点又は第３観点に係る無線表示システムであって、（Ｋ−１）個の表示データの少なくとも一部は、データ圧縮されている。
【００１３】
本発明の第４観点に係る無線表示システムでは、表示データの少なくとも一部がデータ圧縮されているため、サーバからの送信データ量を特に抑制できる。そのため、データ受信の際の無線表示端末の消費電力を特に抑制できる。
【００１４】
本発明の第５観点に係る無線表示システムは、第４観点に係る無線表示システムであって、データ圧縮は、ランレングス方式を用いて行われる。
【００１５】
本発明の第５観点に係る無線表示システムでは、各表示データが、第１画像における１の色の表示位置を示す情報であるため、一般にランレングス方式を用いて効率よくデータ圧縮可能である。効率よくデータ圧縮された表示データが無線表示端末に送信されるため、データ受信の際の無線表示端末の消費電力を特に抑制できる。
【００１６】
また、ランレングス方式は、比較的単純なデータ圧縮方式であるため、表示データを受信する無線表示端末の処理の負荷を抑制でき、表示部に画像を表示させるまでの処理に要する無線表示端末の消費電力を抑制できる。
【００１７】
さらに、ランレングス方式は、比較的単純なデータ圧縮方式であるため、無線表示端末には高い処理能力が不要で、無線表示システムを構成する無線表示端末の価格も抑制できる。
【００１８】
本発明の第６観点に係る無線表示システムは、第１観点から第５観点のいずれかに係る無線表示システムであって、表示部は電子ペーパーである。
【００１９】
本発明の第６観点に係る無線表示システムでは、表示部の表示内容の保持に電力を不要とすることができ、無線表示端末の電力消費量を抑制することができる。
【００２０】
本発明の第７観点に係る無線表示システムは、第６観点に係る無線表示システムであって、表示部は、３色又は４色の表示が可能である。
【００２１】
本発明の第７観点に係る無線表示システムでは、表示部の表示色が比較的少ないため、第１画像を表示部に表示させるためのデータを、複数色に関する情報を含む単一のデータとしてではなく、複数の、第１画像における１の色の表示位置を示す表示データに分けて送信した時の、無線表示端末の消費電力の抑制効果が高い。
【００２２】
本発明の第８観点に係る無線表示システムは、第４観点又は第５観点に係る無線表示システムであって、表示データは、データ圧縮をすることでデータ圧縮前に比べてデータ量が減少する場合のみデータ圧縮されている。
【００２３】
本発明の第８観点に係る無線表示システムでは、全ての表示データが一律にデータ圧縮されているのではなく、データ圧縮によりデータ量が少なくなる表示データについてのみデータ圧縮されている。そのため、サーバから無線表示端末に送信されるデータ量を抑制し、データ受信の際の無線表示端末の消費電力を特に抑制することができる。
【００２４】
本発明の第９観点に係る無線表示システムは、第１観点から第８観点に係る無線表示システムであって、無線表示端末は、電子棚札である。
【００２５】
本発明の第９観点に係る無線表示システムでは、スーパーマーケット等の店舗において使用される電子棚札の消費電力を抑制できる。
【発明の効果】
【００２６】
本発明に係る無線表示システムでは、第１画像（第１色および第２色を表示色に含む、表示色が３色の画像）を、表示部に表示させるためのデータが、第１画像における、第１色の表示位置を示す第１の表示データと、第２色の表示位置を示す第２の表示データと、に分けて無線表示端末に送信される。そのため、第１画像が複数色に関する情報を含む単一のデータで無線表示端末に送信される場合に比べ、表示部に画像を表示させるまでの処理に要する、無線表示端末の消費電力を抑制できる。
【図面の簡単な説明】
【００２７】
【図１】本発明の一実施形態に係る無線表示システムの全体概略図である。
【図２】図１の無線表示システムが有する無線表示端末の表示部の表示の一例である。表示部に第１画像の一例が表示された状態を描画している。
【図３】図１の無線表示システムが有するサーバの概略構成を示すブロック図である。
【図４】図１の無線表示システムが有する無線表示端末の概略構成を示すブロック図である。
【図５Ａ】図２の第１画像における色Ｃ１の表示位置を示す表示データに基づいて、色Ｃ１を黒で表した画像を表示部に表示すると仮定した場合に、表示部に表示される画像の例である。
【図５Ｂ】図２の第１画像における色Ｃ２の表示位置を示す表示データに基づいて、色Ｃ２を黒で表した画像を表示部に表示すると仮定した場合に、表示部に表示される画像の例である。
【図５Ｃ】図２の第１画像における色Ｃ３の表示位置を示す表示データに基づいて、色Ｃ３を黒で表した画像を表示部に表示すると仮定した場合に、表示部に表示される画像の例である。
【図６】図３のサーバによるコマンドの生成／送信処理のフローチャートの一例である。
【図７】本発明の他の実施形態に係る電子棚札システムの全体概略図である。
【図８】図７の電子棚札システムにおける電子棚札の設置状態の一例である。
【図９】図７の電子棚札システムが有する電子棚札の表示部の表示の一例である。
【発明を実施するための形態】
【００２８】
（１）全体構成
本発明の一実施形態に係る無線表示システム１００について以下に説明する。
【００２９】
無線表示システム１００は、工場において使用されるシステムである。ただし、無線表示システム１００の使用場所は、工場に限定されるものではなく、例えば物流施設や病院等で使用されてもよい。
【００３０】
無線表示システム１００は、図１に示すように、主として、サーバ１０と、複数のアクセスポイント３０，３０，・・・と、複数の無線表示端末４０，４０，・・・と、携帯端末６０と、を備える。サーバ１０とアクセスポイント３０とは、ＬＡＮ（Local Area Network）等のネットワーク２０を介して接続される（図１参照）。ネットワーク２０は、有線であってもよいし、無線であってもよい。
【００３１】
無線表示端末４０は、工場で製造される製品Ｐが内部に収容される容器５０に、それぞれ１つ取り付けられている。なお、ここで、容器５０に収容されている製品Ｐとは、完成品（工場において実施すべき加工の全てが完了した製品）だけを意味するものではなく、完成品となる前の（加工が施されていない状態や、一部の加工だけが施された半製品の状態の）製品を含むものとする。また、図１では、容器５０に１つの物品が製品Ｐとして収納されているが、これに限定されるものではなく、複数の物品から構成される物品群が製品Ｐとして容器５０に収納されてもよい。
【００３２】
各無線表示端末４０は、色Ｃ１、色Ｃ２、および色Ｃ３の３色の表示が可能な表示部４１を有する（図２参照）。各無線表示端末４０の表示部４１には、その無線表示端末４０が取り付けられた容器５０内に収容された製品Ｐに関する画像が表示される。具体的には、表示部４１には、その無線表示端末４０が取り付けられた容器５０内の製品Ｐの製品情報の画像が表示される。製品情報には、例えば、図２のように、製品Ｐのロット番号、製品Ｐの行き先（その製品Ｐに対して次に行われる加工作業の名称や、その製品Ｐを運ぶべき場所の名称等）、製品Ｐの製造番号、製品Ｐの指図番号、製品Ｐに関する特記事項（製品Ｐの製造を特に急ぐ必要がある旨の情報等）が含まれる。ただし、製品情報は、これらの情報に限定されるものではない。また、図２では、製品情報を表す文字の画像が表示部４１に表示されているが、製品情報は、文字で表示される必要はなく、図形や記号等の画像で表示されてもよい。表示部４１の表示内容は、後述するように、サーバ１０から無線表示端末４０に無線送信されるコマンドに基づいて書き換えられる。
【００３３】
サーバ１０は、工場で製造される製品Ｐの情報を一元管理する一般的なコンピュータである。サーバ１０の機能には、無線表示端末４０の表示部４１に表示される画像の管理を含む。
【００３４】
サーバ１０は、無線表示端末４０の表示部４１に表示される製品情報に関する情報を記憶している。サーバ１０は、無線表示端末４０の表示部４１の表示を書き換えるための指令をコマンドとして生成し、無線表示端末４０に対して送信する。なお、サーバ１０により生成されるコマンドには、サーバ１０に記憶している情報を用いて生成された画像表示用データを含む。画像表示用データは、無線表示端末４０の表示部４１に製品情報の画像を表示させるためのデータである。サーバ１０から送信されるコマンドには、コマンドを実行させる対象の（表示部４１の表示が書き換えられる）無線表示端末４０の端末ＩＤが付される。サーバ１０は、ネットワーク２０で接続されたアクセスポイント３０を介して、無線表示端末４０に対してコマンドを無線送信する。
【００３５】
アクセスポイント３０は、無線表示端末４０との間で無線通信を行う通信装置である。例えば、アクセスポイント３０と無線表示端末４０とは、電波による無線通信を行う。ただし、これに限定されるものではなく、例えば、アクセスポイント３０と無線表示端末４０とは、赤外線による無線通信を行うものであってもよい。
【００３６】
アクセスポイント３０は、例えば工場の天井等に間隔を空けて取り付けられる。アクセスポイント３０の設置台数および設置位置は、例えば、工場内の無線表示端末４０が、いずれかのアクセスポイント３０と通信可能となるように決定される。
【００３７】
アクセスポイント３０は、無線表示端末４０との間で、各種信号の授受を行う。例えば、アクセスポイント３０は、サーバ１０から送られてくるコマンドを無線表示端末４０に無線送信する。言い換えれば、アクセスポイント３０は、サーバ１０から送られてくる画像表示用データを無線表示端末４０に無線送信する。また、アクセスポイント３０は、無線表示端末４０から無線送信されてくる信号を受信し、受信した信号をサーバ１０に送信する。
【００３８】
携帯端末６０は、工場で作業を行う作業員により使用される可搬性の端末である。携帯端末６０は、例えば、バーコードのスキャナを備えたデータ収集端末（ハンディターミナル）である。携帯端末６０は、例えば無線ＬＡＮにより、サーバ１０と通信可能に構成されている。
【００３９】
携帯端末６０は、無線表示端末４０と製品Ｐとのリンク作業／リンク解除作業に用いられる。リンク作業は、各無線表示端末４０の端末ＩＤと、その無線表示端末４０が取り付けられた容器５０内に収容された製品Ｐの製品ＩＤとを関連付けてサーバ１０に記憶させる作業である。リンク作業は、例えば、無線表示端末４０が取り付けられた容器５０に、加工が施されていない状態の製品Ｐが収容される時に実行される。逆に、リンク解除作業は、関連付けて記憶されている端末ＩＤと製品ＩＤとを、サーバ１０から消去する作業である。リンク解除作業は、例えば、無線表示端末４０が取り付けられた容器５０から、全ての加工が施された完成品の製品Ｐが取り出される時に実行される。なお、端末ＩＤは、各無線表示端末４０に付された固有の識別符号である。製品ＩＤは、各製品Ｐに付された固有の識別符号である。
【００４０】
リンク作業時には、携帯端末６０は、各無線表示端末４０に付されたバーコードを読み取ることで、端末ＩＤを取得する。また、携帯端末６０は、引き続いて各製品Ｐに付されたバーコードを読み取ることで、製品ＩＤを取得する。そして、取得された端末ＩＤおよび製品ＩＤが携帯端末６０からサーバ１０に送信されることで、サーバ１０において、端末ＩＤと製品ＩＤとが関連付けて記憶される。
【００４１】
（２）詳細構成
無線表示システム１００のサーバ１０および無線表示端末４０について、以下に詳細に説明する。
【００４２】
（２−１）サーバ
サーバ１０は、工場で取り扱われる製品Ｐの情報を一元管理する一般的なコンピュータである。サーバ１０は、アクセスポイント３０を介して、無線表示端末４０に画像表示用データを含むコマンドを送信する。
【００４３】
サーバ１０は、サーバ通信部１１と、サーバ表示部１２と、サーバ入力部１３と、サーバ記憶部１４と、サーバ制御部１５とを主に有する（図３参照）。
【００４４】
（２−１−１）サーバ通信部
サーバ通信部１１は、サーバ１０とアクセスポイント３０との通信を可能にするための通信インターフェースである。サーバ１０からアクセスポイント３０に送られたコマンドは、アクセスポイント３０から無線表示端末４０へと無線送信される。
【００４５】
（２−１−２）サーバ表示部
サーバ表示部１２は、液晶ディスプレイである。サーバ表示部１２には、無線表示システム１００に関する各種情報を表示可能である。
【００４６】
（２−１−３）サーバ入力部
サーバ入力部１３は、マウスおよびキーボードである。サーバ１０に対する各種指令や各種情報は、サーバ入力部１３を介して入力可能である。
【００４７】
（２−１−４）サーバ記憶部
サーバ記憶部１４は、ＲＯＭ、ＲＡＭ、およびハードディスク等により構成される。サーバ記憶部１４には、後述するサーバ制御部１５により実行される各種プログラムが記憶される。また、サーバ記憶部１４には、各種情報が記憶される。
【００４８】
サーバ記憶部１４は、情報の記憶領域として、製品関連情報記憶領域１４ａと、リンク情報記憶領域１４ｂと、フォーマット記憶領域１４ｃと、を有する（図３参照）。
【００４９】
（２−１−４−１）製品関連情報記憶領域
製品関連情報記憶領域１４ａは、工場で製造される製品Ｐに関する情報が記憶される。製品関連情報記憶領域１４ａには、製品ＩＤ別に、製品Ｐのロット番号、製品Ｐに対して行うべき全加工作業の内容、製品Ｐに対して次に行われるべき加工作業の内容、製品Ｐを次に運ぶべき場所、製品Ｐの製造番号、製品Ｐの指図番号、製品Ｐに関する特記事項（製品Ｐの製造を特に急ぐ必要がある旨の情報等）等が記憶される。
【００５０】
製品関連情報記憶領域１４ａの内容は、図示しない外部機器から情報を受信することで、あるいは、サーバ入力部１３が情報の入力を受け付けることで変更される。また、後述するように、無線表示端末４０から送信される、入力部４２に入力があった旨の信号をサーバ１０が受信した際にも、製品関連情報記憶領域１４ａの内容が変更される。
【００５１】
（２−１−４−２）リンク情報記憶領域
リンク情報記憶領域１４ｂには、携帯端末６０を用いて行われた、無線表示端末４０と製品Ｐとのリンク作業の結果が記憶されている。具体的には、リンク情報記憶領域１４ｂには、各無線表示端末４０の端末ＩＤと、その無線表示端末４０が取り付けられた容器５０内に収容された製品Ｐの製品ＩＤとが関連付けて記憶されている。
【００５２】
（２−１−４−３）フォーマット記憶領域
フォーマット記憶領域１４ｃには、画像表示用のフォーマットが記憶されている。画像表示用のフォーマットは、製品Ｐの製品情報の画像を表示部４１に表示させる際に、製品情報の中のどの情報を表示部４１のどの位置に配置するのか、その情報をどのくらいの大きさで表示するか、その情報を何色で表示するのか等の情報である。フォーマット記憶領域１４ｃに記憶される情報は、例えば、サーバ入力部１３が情報の入力を受け付けることで変更される。
【００５３】
（２−１−５）サーバ制御部
サーバ制御部１５は、サーバ記憶部１４に記憶されているプログラムを実行することで、各種処理を行う。具体的には、サーバ制御部１５は、以下の様な処理を行う。
【００５４】
例えば、ある無線表示端末４０から送信される、入力部４２に入力があった旨の信号（信号については後述する）を、サーバ１０が受信した時には、サーバ制御部１５は、リンク情報記憶領域１４ｂを参照して、信号に含まれていた端末ＩＤの無線表示端末４０と関連付けられた製品Ｐを特定する。そして、サーバ制御部１５は、製品関連情報記憶領域１４ａに記憶されている、その製品Ｐに関する次に行われるべき加工作業の内容を、新たな加工作業の内容に変更する。
【００５５】
また、例えば、サーバ制御部１５は、ある無線表示端末４０の表示部４１の表示の変更が必要な時に、その無線表示端末４０に対して表示部４１の表示の書き換えを指示するコマンドを生成し、アクセスポイント３０を介して、無線表示端末４０に無線送信する。コマンドには、画像表示用データを含む。無線表示端末４０の表示変更が必要な時とは、例えば、ある無線表示端末４０と、ある製品Ｐとのリンク作業が行われ、リンク情報記憶領域１４ｂに、その無線表示端末４０の端末ＩＤと、その製品Ｐの製品ＩＤとが関連付けて記憶された時である。また、無線表示端末４０の表示変更が必要な時とは、逆に、ある無線表示端末４０と、ある製品Ｐとのリンク解除作業が行われ、リンク情報記憶領域１４ｂに、関連付けて記憶されていた無線表示端末４０の端末ＩＤと製品Ｐの製品ＩＤとが消去された時である。また、無線表示端末４０の表示変更が必要な時とは、例えば、ある無線表示端末４０から送信される、入力部４２に入力があった旨の信号をサーバ１０が受信し、製品関連情報記憶領域１４ａに記憶されている、製品Ｐに対して次に行われるべき加工作業の内容が変更された時である。
【００５６】
サーバ制御部１５は、無線表示端末４０に対するコマンドの生成／送信時に、具体的には以下の処理を行う。
【００５７】
まず、サーバ制御部１５は、製品関連情報記憶領域１４ａを参照して、無線表示端末４０の表示変更が必要な製品Ｐについて、無線表示端末４０の表示部４１に画像（製品情報の画像）表示させるため画像表示用データを生成する。画像表示用データは、後述する、サーバ制御部１５の機能部である画像表示用データ生成部１５ａにより生成される。また、サーバ制御部１５は、リンク情報記憶領域１４ｂを参照して、無線表示端末４０の表示変更が必要な製品Ｐとリンク付けされている無線表示端末４０の端末ＩＤを取得する。
【００５８】
次に、サーバ制御部１５は、取得した送信対象の無線表示端末４０の端末ＩＤを付した、画像表示用データを含むコマンド（無線表示端末４０に表示部４１の表示の書き換えを要求する指令）を生成する。さらに、サーバ制御部１５は、生成したコマンドを、アクセスポイント３０に送信する。コマンドを受信したアクセスポイント３０は、そのコマンドを、電波により無線表示端末４０に無線送信する。
【００５９】
後述するように、無線表示端末４０は、自己に対するコマンドを受信すると、アクセスポイント３０に対して応答信号を送信する。応答信号を受信したアクセスポイント３０は、ネットワーク２０を介して、サーバ１０に対して応答信号を送信する。サーバ制御部１５は、サーバ１０がコマンド送信後に応答信号を受信すると、無線表示端末４０との通信が成功したと判断し、無線表示端末４０に対するコマンドの送信処理を終了する。一方、何らかの原因で、アクセスポイント３０が応答信号を受信しない場合には、サーバ制御部１５は、コマンドを再送信する。
【００６０】
以下に、サーバ制御部１５の機能部である画像表示用データ生成部１５ａについて説明する。
【００６１】
（２−１−５−１）画像表示用データ生成部
画像表示用データ生成部１５ａは、サーバ１０がコマンドを送信する対象の無線表示端末４０の表示部４１に画像（製品情報の画像）を表示させるための画像表示用データを生成する。画像表示用データは、コマンドの一部を構成する。
【００６２】
１つの画像表示用データは、２つの表示データを含む。表示データは、色別のデータであり、ある製品情報の画像を無線表示端末４０の表示部４１に表示させる場合の、その画像における、ある色の表示位置を示すデータである。
【００６３】
画像表示用データ生成部１５ａは、画像表示用データを以下の様にして生成する。
【００６４】
まず、サーバ制御部１５は、無線表示端末４０の表示部４１の表示の書き換えが必要になった時に、例えば、製品関連情報記憶領域１４ａに記憶された、その無線表示端末４０の端末ＩＤと関連付けられた製品ＩＤに関して、製品Ｐのロット番号、製品Ｐに対して次に行われるべき加工作業の内容、製品Ｐの製造番号、製品Ｐの指図番号、製品Ｐに関する特記事項等、表示部４１に表示させることが決められている項目の情報を読み出し、これを表示部４１に表示させるべき内容（製品情報）に決定する。
【００６５】
画像表示用データ生成部１５ａは、表示部４１に表示させるべき製品情報と、フォーマット記憶領域１４ｃに記憶されたフォーマットと、に基づいて、無線表示端末４０の表示部４１に製品情報の画像を表示させる場合の、その画像における各色の表示位置を示す表示データを生成する。
【００６６】
画像表示用データ生成部１５ａは、無線表示端末４０の表示部４１に、色Ｃ１、色Ｃ２、および色Ｃ３の３色を表示色に含む画像（以後では、色Ｃ１、色Ｃ２、および色Ｃ３の３色を表示色に含む画像を第１画像と呼ぶ）を表示させる場合、色Ｃ１、色Ｃ２、および色Ｃ３のそれぞれについて、第１画像における各色の表示位置を示す表示データを生成する。つまり、画像表示用データ生成部１５ａは、無線表示端末４０の表示部４１に第１画像を表示させる場合、３つの表示データを生成する。
【００６７】
無線表示端末４０の表示部４１に、図２のような色Ｃ１、色Ｃ２、および色Ｃ３を表示色に含む第１画像Ｇａを表示させようとしている場合を例に、画像表示用データ生成部１５ａによる表示データの生成について具体的に説明する。
【００６８】
画像表示用データ生成部１５ａは、表示部４１に第１画像Ｇａを表示させようとしている場合、色Ｃ１、色Ｃ２、およびＣ３のそれぞれについて、つまり合計３つの表示データを生成する。
【００６９】
第１画像Ｇａにおける色Ｃ１の表示位置を示す表示データは、例えば、表示部４１の全画素について、色Ｃ１で表示する部分を“１”で、色Ｃ１以外で（色Ｃ２又は色Ｃ３で）表示する部分を“０”で表した２値のデータである。仮に、色Ｃ１の表示位置を示す表示データに基づいて、“１”で表現される画素を黒色で、“０”で表現される画素を白色で、表示部４１に表示したとすればとすれば、図５Ａのような画像Ｇ１となる。
【００７０】
第１画像Ｇａにおける色Ｃ２の表示位置を示す表示データは、例えば、表示部４１の全画素について、色Ｃ２で表示する部分を“１”で、色Ｃ２以外で（色Ｃ１又は色Ｃ３で）表示する部分を“０”で表した２値のデータである。仮に、色Ｃ２の表示位置を示す表示データに基づいて、“１”で表現される画素を黒色で、“０”で表現される画素を白色で、表示部４１に表示したとすればとすれば、図５Ｂのような画像Ｇ２となる。
【００７１】
第１画像Ｇａにおける色Ｃ３の表示位置を示す表示データは、例えば、表示部４１の全画素について、色Ｃ３で表示する部分を“１”で、色Ｃ３以外で（色Ｃ１又は色Ｃ２で）表示する部分を“０”で表した２値のデータである。仮に、色Ｃ３の表示位置を示す表示データに基づいて、“１”で表現される画素を黒色で、“０”で表現される画素を白色で、表示部４１に表示したとすればとすれば、図５Ｃのような画像Ｇ３となる。
【００７２】
なお、画像表示用データ生成部１５ａが生成する表示データは、原則、データ圧縮されている。より具体的には、画像表示用データ生成部１５ａが生成する表示データは、ランレングス方式を用いて、原則、データ圧縮されている。
【００７３】
ただし、画像表示用データ生成部１５ａは、データ圧縮をすることでデータ圧縮前に比べてデータ量が増加する場合には、データ圧縮されていない表示データを生成する。言い換えれば、画像表示用データ生成部１５ａは、データ圧縮をすることでデータ圧縮前に比べてデータ量が減少する場合のみ、データ圧縮されている表示データを生成する。なお、ここでは、データ圧縮されている表示データも、データ圧縮されていない表示データも、特に呼び分けず、単に表示データと呼ぶ。
【００７４】
画像表示用データ生成部１５ａは、色Ｃ１、色Ｃ２、および色Ｃ３のそれぞれについて、第１画像における各色の表示位置を示す表示データを生成すると、その中から２個の色の表示データを、第１画像を表示させるための画像表示用データに決定する。具体的には、画像表示用データ生成部１５ａは、２個の表示データのデータ量が最小となる２個の色の組合せを決定し、決定した組合せに含まれる２個の色についての表示データを、無線表示端末４０に（コマンドの一部として）送信する画像表示用データに決定する。
【００７５】
具体例を上げて説明する。例えば、色Ｃ１についての表示データ（表示データに基づき、“１”で表現される画素を黒色で、“０”で表現される画素を白色で、表示部４１に表示したとすればとすれば、図５Ａのような画像Ｇ１が得られる表示データ）のデータ量が８４８バイトであるとする。色Ｃ２についての表示データ（表示データに基づき、“１”で表現される画素を黒色で、“０”で表現される画素を白色で、表示部４１に表示したとすればとすれば、図５Ｂのような画像Ｇ２が得られる表示データ）のデータ量が２０６１バイトであるとする。色Ｃ３についての表示データ（表示データに基づき、“１”で表現される画素を黒色で、“０”で表現される画素を白色で、表示部４１に表示したとすればとすれば、図５Ｃのような画像Ｇ３が得られる表示データ）のデータ量が１３７５バイトであるとする。この場合に、画像表示用データ生成部１５ａは、無線表示端末４０に画像表示用データとして送信される２個の表示データのデータ量が最小となる２色の組合せとして、色Ｃ１と色Ｃ３の組合せを決定し、これらの色の表示データを画像表示用データに決定する。
【００７６】
なお、サーバ制御部１５が送信するコマンドには、画像表示用データの他、画像表示用データに含まれる２つの表示データが、それぞれどの色の表示データであるかを特定する情報も含まれる。つまり、コマンドを受信した無線表示端末４０は、コマンドに含まれていた画像表示用データの２つの表示データが、それぞれ何色の表示データであるかを識別可能である。
【００７７】
（２−２）無線表示端末
無線表示端末４０は、製品Ｐが収容される容器５０にそれぞれ取り付けられ（図１参照）、対応する製品Ｐ（その無線表示端末４０が取り付けられた容器５０に収容された製品Ｐ）の製品情報を表示する。
【００７８】
各無線表示端末４０は、図４のように、主に表示部４１、入力部４２、通信部４３、電池４４、記憶部４６、および制御部４７を有する。
【００７９】
（２−２−１）表示部
表示部４１には、製品Ｐの製品情報が表示される。表示部４１には、色Ｃ１、色Ｃ２、および色Ｃ３の３色表示が可能である（図２参照）。ここでは、色Ｃ１は白色、色Ｃ２は黒色、色Ｃ３は赤色であるが、これに限定されるものではなく、それぞれ他の色であってもよい。なお、図２において、黒色で表されておらず、ハッチングもされていない領域は、画素の表示色が色Ｃ１であることを示す。図２中において黒色で表されている領域は、画素の表示色が色Ｃ２であることを示す。図２においてハッチングされている領域は、画素の表示色が色Ｃ３であることを示す。
【００８０】
表示部４１の表示は、サーバ１０から送信されてくる画像表示用データに基づいて書き換えられる。つまり、色Ｃ１、色Ｃ２、および色Ｃ３の３色を表示色に含む第１画像を表示部４１に表示する場合には、表示部４１の表示は、サーバ１０から送信されてくる２個の表示データに基づいて書き換えられる。
【００８１】
表示部４１には、例えば電子ペーパーが用いられる。すなわち、表示部４１は、マトリクス状に配列された複数の画素で構成される、ドットマトリクス方式の不揮発性表示部である。表示部４１は、電力が供給されなくても表示内容を保持できる。
【００８２】
表示部４１には、具体的には、電気泳動方式の電子ペーパーが用いられる。表示部４１には、より具体的には、電気泳動方式の、いわゆるマイクロカップ型の電子ペーパーが用いられる。表示部４１には、表示面（画像が表示される面）の全域にわたって、多数の、極めて小さなカップ状のセル（このセルは、マイクロカップと呼ばれる）が面状に配置される。表示部４１の各セルは、表示部４１の各画素に対応している。各セルの内部には、例えば、複数の正に帯電した色Ｃ１の粒子と、複数の負に帯電した色Ｃ２の粒子と、複数の同じく負に帯電した色Ｃ３の粒子と、が収容されている。
【００８３】
表示部４１の表示は、各セルに他のセルとは独立して電圧を印加することが可能な表示書換部４１ａによって書き換えられる。具体的には、表示書換部４１ａは、各セルの表示面側を正電圧又は負電圧とすることで、また、各セルへの電圧の印加の様態（例えば、印加電圧や、電圧の印加時間等）を変えることで、色Ｃ１の粒子、色Ｃ２の粒子、又は色Ｃ３の粒子のいずれかを表示部４１の表示面側に移動させる。その結果、各セルに対応する画素の表示色が、色Ｃ１、色Ｃ２、又は色Ｃ３となる。なお、表示書換部４１ａの動作は、制御部４７により制御される。
【００８４】
なお、表示部４１では、その特性上、表示の書き換え時に、全ての画素の表示色が一旦色Ｃ１に書き換えられる。そして、その後に各画素の表示色が所望の色に書き換えられる。例えば、表示部４１では、全ての画素の表示色が一旦色Ｃ１に書き換えられ、まず色Ｃ２を表示すべき画素の表示色が色Ｃ２に書き換えられる。さらに、その後、表示色が色Ｃ１の画素の内、色Ｃ３を表示すべき画素の表示色が色Ｃ３に書き換えられる。
【００８５】
（２−２−２）入力部
入力部４２は、工場で作業をする作業員による入力を受け付けるスイッチ、例えば押しボタンスイッチである。
【００８６】
作業員は、例えば、無線表示端末４０の表示部４１に、製品情報として次に行われる加工作業の名称（仮に、第１加工作業とする）が表示されている場合に、その無線表示端末４０の取り付けられた容器５０に収容されている製品Ｐに対し、第１加工作業が終了すると、入力部４２としての押しボタンスイッチを押下する。このような、加工作業終了時の入力部４２への入力が、どのように利用されるかについては後述する。
【００８７】
（２−２−３）通信部
通信部４３は、アクセスポイント３０と無線通信を行う。言い換えれば、通信部４３は、アクセスポイント３０を介して、サーバ１０と無線通信を行う。
【００８８】
通信部４３は、サーバ１０から、アクセスポイント３０を介して、表示部４１の表示の書き換え指令としてのコマンドを受信する。コマンドには、画像表示用データ、つまり２個の表示データを含む。
【００８９】
通信部４３は、後述する制御部４７の指示に従い、アクセスポイント３０に対して、言い換えればサーバ１０に対して、応答信号（ＡＣＫ）を送信する。応答信号は、無線表示端末４０が、その無線表示端末４０宛に送信されたコマンドを受信したこと等をサーバ１０に知らせるために、通信部４３から送信される信号である。
【００９０】
また、通信部４３は、入力部４２に入力があった時に、アクセスポイント３０に対して、言い換えればサーバ１０に対して、入力部４２に入力があった旨を知らせる信号を送信する。なお、入力部４２に入力があった旨を知らせる信号には、後述する記憶部４６に記憶された端末ＩＤの情報が含まれる。
【００９１】
（２−２−４）電池
電池４４は、無線表示端末４０の各部に電力を供給する。電池４４は、例えば、表示部４１の表示を書き換える表示書換部４１ａ、入力部４２、通信部４３、記憶部４６および制御部４７等に電力を供給する。
【００９２】
（２−２−５）記憶部
記憶部４６は、図示しないＲＯＭやＲＡＭ等を有する。
【００９３】
記憶部４６には、制御部４７により実行される各種プログラムが記憶されている。
【００９４】
また、記憶部４６には、各種情報が記憶されている。例えば、記憶部４６には、その記憶部４６を有する無線表示端末４０の端末ＩＤ（自己の端末ＩＤ）が記憶されている。また、記憶部４６には、通信部４３が受信したコマンドに含まれていた画像表示用データが記憶される。言い換えれば、記憶部４６には、通信部４３が受信したコマンドに含まれていた２個の表示データが記憶される。なお、記憶部４６には、通信部４３が受信したコマンドに含まれていた、２個の表示データが、それぞれ何色についての表示データであるかという情報と共に記憶される。
【００９５】
（２−２−６）制御部
制御部４７は、図示しないＣＰＵを主に有する。制御部４７は、表示書換部４１ａ、入力部４２、通信部４３、電池４４、および記憶部４６と電気的に接続されている（図４参照）。
【００９６】
制御部４７は、記憶部４６に記憶されたプログラムを実行することで、無線表示端末４０の各要素を制御する。
【００９７】
具体的には、制御部４７は、以下の様な制御を行う。
【００９８】
制御部４７は、通信部４３がアクセスポイント３０から送信されてくるコマンドを受信すると、コマンドに付された端末ＩＤと、記憶部４６に記憶された端末ＩＤ（自己の端末ＩＤ）とが、同一であるか否かを判断する。同一でないと判断される場合には、制御部４７は、通信部４３が受信したコマンドを実行しない。
【００９９】
一方、コマンドに付された端末ＩＤと記憶部４６に記憶された端末ＩＤとが同一であると判断される場合（以下では、同一判断時と呼ぶ）、制御部４７は、通信部４３に、アクセスポイント３０に対して応答信号（ＡＣＫ）を送信するよう指示する。ここでの応答信号は、無線表示端末４０が、その無線表示端末４０宛に送信されたコマンドを受信したことをサーバ１０に知らせるための信号である。また、同一判断時には、コマンドに含まれる画像表示用データが記憶部４６に記憶される。
【０１００】
また、同一判断時には、制御部４７は、記憶部４６に記憶される画像表示用データに基づいて、画像表示用データが特定する製品情報の画像が表示部４１に表示されるよう、表示書換部４１ａの制御し、表示部４１の表示を書き換える。制御部４７は、具体的には、画像表示用データを構成する２つの表示データから、表示する第１画像における、色Ｃ１、色Ｃ２、および色Ｃ３の表示位置を把握する。そして、制御部４７は、表示書換部４１ａの制御し、一旦全ての画素の表示色を色Ｃ１とした後、色Ｃ２および色Ｃ３の表示位置に関する情報を利用して、表示部４１に、例えば図２のような画像を表示する。
【０１０１】
（３）サーバによるコマンドの生成／送信処理
サーバ１０による、無線表示端末４０に表示部４１の書き換えを指示するコマンドの生成／送信処理の例を、図６のフローチャートを参照して以下に説明する。
【０１０２】
なお、サーバ１０による、無線表示端末４０に表示部４１の書き換えには、表示部４１を単色（例えば色Ｃ１）に書き換える場合や、表示部４１に２色表示の画像に書き換える場合もあり得るが、ここでは、無線表示端末４０の主な用途である、表示部４１に３色の表示色を含む画像（第１画像）を表示させる場合についてのみ説明する。
【０１０３】
初めに、サーバ制御部１５は、ある無線表示端末４０の表示部４１の表示の書き換えが必要になった時に、表示部４１に表示させる内容を決定する（ステップＳ１）。
【０１０４】
無線表示端末４０の表示部４１の表示の書き換えが必要になる時とは、例えば、リンク作業が行われ、その無線表示端末４０の端末ＩＤと製品ＩＤとが関連付けてリンク情報記憶領域１４ｂに記憶された時である。また、無線表示端末４０の表示部４１の表示の書き換えが必要になる時とは、例えば、その無線表示端末４０から送信される、入力部４２に入力があった旨の信号をサーバ１０が受信し、製品関連情報記憶領域１４ａに記憶された、その無線表示端末４０の端末ＩＤと関連付けられた製品ＩＤの製品Ｐに関する、次に行われるべき加工作業の内容が変更された時である。
【０１０５】
サーバ制御部１５は、ある無線表示端末４０の表示部４１の表示の書き換えが必要になった時に、例えば、製品関連情報記憶領域１４ａに記憶された、その無線表示端末４０の端末ＩＤと関連付けられた製品ＩＤに関して、製品Ｐのロット番号、製品Ｐに対して次に行われるべき加工作業の内容、製品Ｐの製造番号、製品Ｐの指図番号、製品Ｐに関する特記事項等、表示部４１に表示させることが決められている項目の情報を読み出し、これを表示部４１に表示させるべき内容（製品情報）に決定する。
【０１０６】
次に、ステップＳ２では、画像表示用データ生成部１５ａは、ステップＳ１で決定された表示部４１に表示させるべき製品情報と、フォーマット記憶領域１４ｃに記憶されたフォーマットと、に基づいて、無線表示端末４０の表示部４１に製品情報の第１画像を表示させる場合の、その第１画像における各色の表示位置を示す表示データを生成する。
【０１０７】
次に、ステップＳ３では、画像表示用データ生成部１５ａは、３個の（各色の）表示データから、表示データのデータ量の合計が最小となる２個の表示データの組合せを決定する。言い換えれば、画像表示用データ生成部１５ａは、無線表示端末４０に画像表示用データとして送信される２個の表示データのデータ量が最小となる２個の色の組合せを決定する。
【０１０８】
次に、サーバ制御部１５は、無線表示端末４０に表示部４１の表示を書き換えさせるためのコマンドを生成する（ステップＳ４）。コマンドには、画像表示用データが含まれる。画像表示用データには、ステップＳ３で決定された組合せに含まれる２個の色についての表示データを含む。なお、コマンドには、コマンドに含まれる２個の表示データが、それぞれ、どの色の表示データであるかを識別するための情報を含む。また、コマンドには、コマンドを実行させる対象の無線表示端末４０の端末ＩＤが付加される。
【０１０９】
次に、ステップＳ５では、サーバ１０は、ネットワーク２０およびアクセスポイント３０を介して、無線表示端末４０に対しコマンドを無線送信する。
【０１１０】
つまり、サーバ１０は、第１色および第２色を表示色に含む、表示色が３色の第１画像を、無線表示端末４０の表示部４１に表示させるためのデータとして、第１画像における第１色の表示位置を示す第１の表示データと、第１画像における第２色の表示位置を示す第２の表示データと、を無線表示端末４０に送信する。
【０１１１】
言い換えれば、第１画像は、表示色が３色の画像であり、サーバ１０は、第１画像を無線表示端末４０の表示部４１に表示させるためのデータとして、第１色および第２色の２個の色のそれぞれについて、第１画像における色の表示位置を示した、２個の表示データを、無線表示端末４０に送信する。
【０１１２】
（４）特徴
（４−１）
本実施形態に係る無線表示システム１００は、無線表示端末４０と、サーバ１０と、を備える。無線表示端末４０は、３色の表示が可能な表示部４１を有する。サーバ１０は、無線表示端末４０に、表示部４１に画像を表示させるためのデータ（画像表示用データ）を無線送信する。サーバ１０は、第１色および第２色を表示色に含む、表示色が３色の第１画像を、表示部４１に表示させるためのデータとして、第１画像における第１色の表示位置を示す第１の表示データと、第１画像における第２色の表示位置を示す第２の表示データと、を無線表示端末４０に送信する。無線表示端末４０は、第１の表示データおよび第２の表示データに基づいて、表示部４１に第１画像の表示を行わせる。
【０１１３】
ここでは、第１画像（第１色および第２色を表示色に含む、表示色が３色の画像）を、表示部４１に表示させるためのデータが、第１画像における、第１色の表示位置を示す第１の表示データと、第２色の表示位置を示す第２の表示データとに分けて無線表示端末４０に送信される。そのため、第１画像について３色の表示色に関する情報を単一のデータで無線表示端末４０に送信する場合に比べ、表示部４１に画像を表示させるまでの処理に要する、無線表示端末４０の消費電力を抑制できる。
【０１１４】
例えば、各表示データは単一の色の表示位置に関する２値のデータであるため、第１画像が複数色（ここでは３色）に関する情報を含む単一のデータが送信される場合に比べ、無線表示端末４０の制御部４７が実行する処理は、単純な処理でよく、無線表示端末４０の消費電力が抑制されやすい。
【０１１５】
（４−２）
本実施形態に係る無線表示システム１００では、サーバ１０は、無線表示端末４０に送信される２個の表示データのデータ量が最小となる２個の色の組合せを決定し、決定した組合せに含まれる２個の色について、２個の表示データを無線表示端末４０に送信する。
【０１１６】
ここでは、サーバ１０からの送信データ量が最小となる色の組合せに含まれる２個の色について、２個の表示データが無線表示端末４０に送信されるため、データ受信の際の無線表示端末４０の消費電力を抑制できる。
【０１１７】
（４−３）
本実施形態に係る無線表示システム１００では、画像表示用データとしてサーバ１０から送信される２個の表示データは、通常、データ圧縮されている。
【０１１８】
ここでは、表示データが、通常、データ圧縮されているため、サーバ１０からの送信データ量を特に抑制できる。そのため、データ受信時間が短くなり、データ受信の際の無線表示端末４０の消費電力を特に抑制できる。
【０１１９】
なお、本実施形態に係る無線表示システム１００では、表示データは、データ圧縮をすることでデータ圧縮前に比べてデータ量が減少する場合のみデータ圧縮されている。
【０１２０】
つまり、ここでは、全ての表示データが一律にデータ圧縮されているのではなく、データ圧縮によりデータ量が少なくなる表示データについてのみデータ圧縮されている。そのため、サーバ１０から無線表示端末４０に送信されるデータ量を抑制し、データ受信の際の無線表示端末４０の消費電力を特に抑制することができる。
【０１２１】
（４−４）
本実施形態に係る無線表示システム１００では、データ圧縮は、ランレングス方式を用いて行われる。
【０１２２】
ここでは、各表示データが、第１画像における１の色の表示位置を示す情報であるため、一般にランレングス方式を用いて効率よくデータ圧縮可能である。効率よくデータ圧縮された表示データが無線表示端末４０に送信されるため、データ受信時間が短くなり、データ受信の際の無線表示端末４０の消費電力を特に抑制できる。
【０１２３】
また、ランレングス方式は、比較的単純なデータ圧縮方式であるため、表示データを受信する無線表示端末４０の処理の負荷を抑制でき、表示部４１に画像を表示させるまでの処理に要する無線表示端末４０の消費電力を抑制できる。
【０１２４】
さらに、ランレングス方式は、比較的単純なデータ圧縮方式であるため、無線表示端末４０には高い処理能力が不要で、無線表示システム１００を構成する無線表示端末４０の価格も抑制できる。
【０１２５】
（４−５）
本実施形態に係る無線表示システム１００では、表示部４１は電子ペーパーである。
【０１２６】
ここでは、表示部４１の表示内容の保持に電力を不要とすることができ、無線表示端末４０の電力消費量を抑制することができる。
【０１２７】
（４−６）
本実施形態に係る無線表示システム１００では、表示部４１は、３色の表示が可能である。
【０１２８】
ここでは、表示部４１の表示色が比較的少ないため、第１画像を表示部４１に表示させるためのデータを、複数色に関する情報を含む単一のデータとしてではなく、複数の、第１画像における１の色の表示位置を示す表示データに分けて送信した時の、無線表示端末４０の消費電力の抑制効果が高い。
【０１２９】
（５）変形例
以下に上記実施形態の変形例について説明する。なお、矛盾しない範囲で、複数の変形例が組み合わされてもよい。
【０１３０】
（５−１）変形例Ａ
上記実施形態では、無線表示端末４０の表示部４１は３色の表示が可能であるが、これに限定されるものではない。
【０１３１】
表示部４１がＮ色（Ｎは３以上の整数）を表示可能で、表示部にＫ色（Ｋは３以上、Ｎ以下の整数）の画像を表示させる場合にも、無線表示システム１００を上記実施形態と同様の構成とすることで、無線表示端末４０の消費電力を抑制できる。
【０１３２】
つまり、無線表示システム１００は、Ｎ色（Ｎは３以上の整数）の表示が可能な表示部４１を有する無線表示端末４０と、サーバ１０とを備え、サーバ１０が、表示色がＫ色（Ｋは３以上、Ｎ以下の整数）の第１画像を、表示部４１に表示させるためのデータとして、第１画像の表示色に含まれる（Ｋ−１）個の色のそれぞれについて、第１画像における色の表示位置を示した、（Ｋ−１）個の表示データを、無線表示端末に送信するよう構成されてもよい。この時、無線表示端末は、（Ｋ−１）個の表示データに基づいて、表示部に第１画像の表示を行わせるよう構成されればよい。
【０１３３】
ここでは、表示色がＫ色（３≦Ｋ≦Ｎ）の第１画像を表示部４１に表示させるためのデータとして、（Ｋ−１）個の色のそれぞれの第１画像における表示位置を示す（Ｋ−１）個の表示データが、無線表示端末４０に送信される。そのため、第１画像についてＫ色の表示色に関する情報を単一のデータとして送信する場合に比べ、表示部４１に画像を表示させるまでの処理に要する無線表示端末の消費電力を抑制できる。
【０１３４】
なお、Ｎは３又は４であることがより好ましい。言い換えれば、Ｋは、３又は４であることが好ましい。例えば、上記実施形態のように、表示部４１は３色表示が可能なものであって、表示色が３色の第１画像が表示部４１に表示されることが好ましい。また、表示部４１は４色表示が可能なものであって、表示色が３色又は４色の第１画像が表示部４１に表示されることが好ましい。
【０１３５】
このように表示部４１の表示色が比較的少ない場合には、第１画像を表示部４１に表示させるためのデータを、複数色に関する情報を含む単一のデータとしてではなく、複数の、第１画像における１の色の表示位置を示す表示データに分けて送信した時の、無線表示端末４０の消費電力の抑制効果が高い。
【０１３６】
なお、変形例Ａのように構成される場合にも、無線表示システム１００は、上記実施形態と同様の特徴を備えることが好ましい。
【０１３７】
例えば、サーバ１０は、（Ｋ−１）個の表示データのデータ量が最小となる（Ｋ−１）個の色の組合せを決定し、決定した組合せに含まれる（Ｋ−１）個の色について、（Ｋ−１）個の表示データを無線表示端末４０に送信することが好ましい。
【０１３８】
また、例えば、無線表示端末４０に送信される（Ｋ−１）個の表示データの少なくとも一部はデータ圧縮されていることが好ましい。
【０１３９】
（５−２）変形例Ｂ
上記実施形態に係る無線表示システム１００では、無線表示端末４０の表示部４１は、電気泳動方式のマイクロカップ型の電子ペーパーであるが、これに限定されるものではない。表示部４１は、３色以上の表示が可能なものであればよく、異なるタイプの表示部が採用されてもよい。
【０１４０】
（５−３）変形例Ｃ
上記実施形態に係る無線表示システム１００では、データ圧縮にランレングス方式が用いられるが、データ圧縮方式はこれに限定されるものではなく、汎用されている他のデータ圧縮方式が採用されてもよい。ただし、ランレングス方式のような単純な圧縮方式を用いることで、無線表示端末４０の制御部４７の処理の負荷を低減することができる。
【０１４１】
＜他の実施形態＞
（１）全体構成
本発明の他の実施形態に係る電子棚札システム３００について以下に説明する。
【０１４２】
電子棚札システム３００は、本発明に係る無線表示システムの一例である。電子棚札システム３００は、例えば、スーパーマーケットやコンビニエンスストアのような店舗において使用される。
【０１４３】
電子棚札システム３００は、図７に示すように、主として、サーバ３１０と、複数の電子棚札３４０，３４０，・・・と、複数のアクセスポイント３０，３０，・・・と、携帯端末６０と、から構成されている。電子棚札システム３００に含まれる電子棚札３４０およびアクセスポイント３０の台数は、図７に示される数に限定されるものではない。
【０１４４】
電子棚札３４０は、無線表示端末の一例である。電子棚札３４０も、色Ｃ１、色Ｃ２、および色Ｃ３の３色表示が可能な表示部４１を有する（図９参照）。電子棚札３４０は、可搬性の装置である。電子棚札３４０は、電子棚札システム３００の設置される店舗で取り扱われる複数の商品Ａのそれぞれに対応して配置される表示装置である（図８参照）。電子棚札３４０は、店舗の売り場において、対応する商品Ａに関する情報を表示する（図９参照）。電子棚札３４０に表示される商品情報には、商品名、販売価格、および販売単価（重量あたりの販売価格）が含まれる（図９参照）。ただし、商品情報は、商品名、販売価格、および販売単価に限定される必要はなく、これらの情報に加えて、あるいはこれらの情報の一部又は全部に代えて、他の情報を含んでいてもよい。電子棚札３４０は、表示内容以外は、上記実施形態の無線表示端末４０と同様であるので説明は省略する。
【０１４５】
また、サーバ３１０は、店舗で取り扱われる複数の商品Ａの情報を一元管理する一般的なコンピュータであり、取り扱う情報が異なること以外、上記実施形態の無線表示システム１００のサーバ１０と同様であるので、説明は省略する。
【０１４６】
また、アクセスポイント３０、ネットワーク２０、および携帯端末６０についても、上記実施形態の無線表示システム１００と同様であるので、説明は省略する。
【０１４７】
本電子棚札システム３００においても、電子棚札３４０やサーバ３１０を、上記実施形態の無線表示端末４０およびサーバ１０と同様の構成とすることで、上記実施形態と同様の効果を得ることができる。
【産業上の利用可能性】
【０１４８】
本発明は、３色以上を表示可能な無線表示端末と、無線表示端末に画像を表示させるためのデータを無線送信するサーバと、を備えた無線表示システムに広く適用可能であり、有用である。
【符号の説明】
【０１４９】
１０，３１０  サーバ
４０  無線表示端末
３４０  電子棚札（無線表示端末）
４１  表示部
１００  無線表示システム
３００  電子棚札システム（無線表示システム）
【先行技術文献】
【特許文献】
【０１５０】
【特許文献１】特開２００５−３３５００４号公報
【図１】
0006735992.tif 000002
【図２】
0006735992.tif 000003
【図３】
0006735992.tif 000004
【図４】
0006735992.tif 000005
【図５Ａ】
0006735992.tif 000006
【図５Ｂ】
0006735992.tif 000007
【図５Ｃ】
0006735992.tif 000008
【図６】
0006735992.tif 000009
【図７】
0006735992.tif 000010
【図８】
0006735992.tif 000011
【図９】
0006735992.tif 000012